(57)【要約】【課題】  少ないキー操作で条件または機能の実行の指示が可能な電子機器を提供する。【解決手段】  ファクシミリ装置は、それぞれが条件または機能を特定する、選択可能な複数のキーを表示する表示部を有し、複数のキーのそれぞれの押し時間が短いか、または長いかを判断する。押下げ時間が短ければ、当該キーは単に選択され（Ｓ１２でＮＯ，Ｓ１３）、押下げ時間が長ければ（Ｓ１２でＹＥＳ）、当該キーが選択されるとともに（Ｓ１４）、自動的に送信が開始される（Ｓ１５）。【選択図】      図５
2006101221.tif 000002
【特許請求の範囲】
【請求項１】
条件または機能を選択するための複数のキーを表示する表示部と、
前記複数のキーのそれぞれが、予め定められた時間未満押されたか、予め定められた時間以上押されたかを判別する押し時間判別手段と、
前記押し時間判別手段によって、予め定められた時間未満押されたキーについては、そのキーが選択されたと判断し、予め定められた時間以上押されたキーについては、そのキーが選択されるとともに、条件または機能の実行が指示されたと判断して、それまでに選択された条件または機能全てを実行するよう制御する制御手段とを含む、電子機器。
【請求項２】
前記複数のキーにおいて、同じキーが連続して押されたときは、前記制御手段は、当該キーの選択がキャンセルされたと判断する、請求項１記載の電子機器。
【請求項３】
前記電子機器は、ファクシミリ装置であり、前記複数のキーは、送信先を示すキーである、請求項１又は２に記載の電子機器。
【請求項４】
前記電子機器は、複写機であり、前記複数のキーは、複写時の複写条件の設定キーである、請求項１又は２に記載の電子機器。
【発明の詳細な説明】
【技術分野】
【０００１】
この発明は、ファクシミリ装置のような画像形成装置等を含む電子機器に関し、特に、キー操作の容易な電子機器に関する。
【背景技術】
【０００２】
ファクシミリ装置のような電子機器においては、送信先の指定用等に、複数のキーが設けられる。このような、電子機器において、キーを押す時間に応じて、モードを変更可能な装置が、たとえば、特開２００４−１４７１３５号公報（特許文献１）に記載されている。
【特許文献１】特開２００４−１４７１３５号公報（段落番号００１０等）
【発明の開示】
【発明が解決しようとする課題】
【０００３】
従来の電子機器の一例としてのファクシミリ装置は、上記のように構成されていた。図６は、上記ような、従来のファクシミリ装置における、タッチパネル式の操作部を示す図である。図６を参照して、複数の宛先に送信するときは、宛先Ｂ、宛先Ｃおよび宛先Ｄを選択し（図中点線で示す）、その後、図示のない、ＳＴＲＡＴキーのような、送信キーを押すと、送信が開始される。すなわち、ファクシミリ装置のような電子機器において、宛先を指定して送信するには、相手先の選択と、送信の開始という、少なくとも２回のキー操作が必要であり、操作が煩雑であるという問題があった。
【０００４】
この発明は、上記のような問題点に着目してなされたもので、少ないキー操作で条件または機能の実行の指示が可能な電子機器を提供することを目的とする。
【課題を解決するための手段】
【０００５】
この発明に係る、電子機器は、条件または機能を選択するための複数のキーを表示する表示部と、複数のキーのそれぞれが、予め定められた時間未満押されたか、予め定められた時間以上押されたかを判別する押し時間判別手段と、押し時間判別手段によって、予め定められた時間未満押されたキーについては、そのキーが選択されたと判断し、予め定められた時間以上押されたキーについては、そのキーが選択されるとともに、条件または機能の実行が指示されたと判断して、それまでに選択された条件または機能全てを実行するよう制御する制御手段とを含む。
【０００６】
好ましくは、複数のキーにおいて、同じキーが連続して押されたときは、制御手段は、当該キーの選択がキャンセルされたと判断する。
【０００７】
なお、電子機器は、ファクシミリ装置であり、複数のキーは、送信先を示すキーであってもよいし、電子機器は、複写機であり、複数のキーは、複写時の複写条件の設定キーであってもよい。
【発明の効果】
【０００８】
この発明においては、条件または機能を選択する複数のキーのそれぞれの押し時間に応じて、そのキーが選択されたか、そのキーが選択されるとともに、選択された機能等の実行が指示されたかを判断し、予め定められた時間以上キーが押されれば、押されたキーが選択されて、それまでに選択された全ての機能等を実行するため、条件または機能の実行を指示するために、別のキーを操作する必要がない。
【０００９】
その結果、少ないキー操作で条件または機能の実行の指示が可能な電子機器を提供できる。
【発明を実施するための最良の形態】
【００１０】
以下、この発明の実施の形態を図面を参照して説明する。図１はこの発明の一実施の形態に係る電子機器を、ファクシミリ装置に適応した場合の、ファクシミリ装置１０の構成を示すブロック図である。図１を参照して、ファクシミリ装置１０は、制御手段および押し時間判断手段として機能するとともに、ファクシミリ装置１０全体を制御する制御部１１と、ＤＲＡＭ１２と、ＦＡＸ通信部１３と、印字部１５と、データを格納するハードディスク１６と、画像読み取り部１７と、操作部１８とを含む。
【００１１】
画像読み取り部１７は光電変換素子の一例のＣＣＤ（図示せず）を備えており、ファクシミリ送信用の画像データを読み取ることができる。
【００１２】
図２は操作部１８の詳細を示す図である。図２を参照して、操作部１８は、入力部１９と表示部２０とを含み、入力部１９は、ファクシミリの送信スタートを指示するスタートキー１９１と、実行中の処理を全面的に解除するための中止キー１９２と、割り込みの実行・解除を指示するための割り込みキー１９３と、ファクシミリ送り先の番号を指示するテンキー１９４と、各種情報を設定するための設定キー１９５などを含む。
【００１３】
表示部２０は液晶パネルにより構成されており、ファクシミリ装置１０からユーザへの情報を表示できるようになっている。この液晶パネルはタッチパネルであり、後に説明するように、複数の送信先が表示される。
【００１４】
制御部１１は、画像読み取り部１７から与えられるデータ、ＦＡＸ通信部１３から与えられるデータをＤＲＡＭ１２に圧縮符号化して書き込み、ＤＲＡＭ１２に書き込んだデータを読み出し、伸張復号化して出力する。また、制御部１１は、ＦＡＸ通信部１３による通信のための制御と、印字部１５による印字のための制御と、画像読み取り部１７の画像読み取りのための制御と、操作部１８の入力部１９からのデータを入力するための制御と、操作部１８の表示部２０にデータを表示するための制御などを行う。
【００１５】
なお、図１において太線の矢印は画像データの流れを示しており、細線の矢印は制御信号または制御データの流れを示している。
【００１６】
次に、ファクシミリ装置１０において、ファクシミリ送信する場合の手順について説明する。図３および図４は、表示部２０に表示される宛先の表示例を示す図であり、図５は、宛先選択の処理手順を示すフローチャートである。
【００１７】
図３と図５を参照して、ユーザが、宛先Ａに送信するときは、宛先Ａを示すキーを、図３において実線２５で示すように選択する（ステップＳ１１、以下、ステップを省略する）。このとき、宛先Ａを表示するキーの押下げ時間が長い（たとえば、約１秒から２秒、予め定められた時間以上）か否かが判断される（Ｓ１２）。長ければ（Ｓ１２でＹＥＳ）、その宛先が選択される（Ｓ１４）とともに、送信が開始される（Ｓ１５）。すなわち、宛先の選択と、送信の動作とが、一度のキー操作で完了する。
【００１８】
次に、図４と図５を参照して、複数の宛先に送信する場合について説明する。ここでは、宛先Ａ〜Ｄの４箇所に送信する場合について説明する。この場合は、宛先Ｂ、ＣおよびＤをまず選択し（図４において点線２６で示す）、最後に宛先Ａを選択するものとする（図４において実線Ａで示す）。このとき、ユーザは、宛先Ｂ〜Ｄについては、そのキーを短時間（１秒未満、予め定められた時間未満）押下げる。すなわち、宛先Ｂを示すキーを押下げると（Ｓ１１）、その押下げ時間が短いためその宛先の選択のみが行なわれる（Ｓ１２でＮＯ、Ｓ１３）。この処理が、宛先ＣおよびＤについても繰り返される。
【００１９】
最後に、宛先Ａのキーを押下げるときは（Ｓ１１）、長く押下げる（Ｓ１２でＹＥＳ）。すると、宛先Ａが選択されるとともに（Ｓ１４）、選択された全ての宛先Ａ〜Ｄに対して送信が開始される（Ｓ１５）。なお、この順は、単なる例示であって、どの順にキーを押下げても、最後のキーを長く押下げれば、同じ処理が行なわれる。
【００２０】
また、キー入力を誤った場合は、誤ったキーを再度押下げれば、それによって当該キーの押し下げがキャンセルされるように設定しておく。
【００２１】
以上のように、複数の宛先に対しても、キー操作は、宛先の選択の回数だけで足り、従来のように、別途送信開始のためのスタートキーを押す必要が無い。
【００２２】
その結果、簡単なキー操作で送信の指示が可能なファクシミリ装置が提供できる。
【００２３】
なお、上記実施の形態においては、電子機器として、ファクシミリ装置を例にあげて説明したが、これに限らず、複写機にこの発明を適用してもよい。この場合には、表示部には、複写機における、複写部数、倍率等の複写条件を指定するキーが表示され、そのキーのいずれかが、長く押下げされると、その条件、またはそれまで選択された条件の基で、複写動作が開始される。
【００２４】
また、複写機以外に、ネットワークスキャナや、他の電子機器においてこの発明を適用してもよい。この場合も、上記したのと同様の効果が得られる。
【００２５】
他の電子機器においては、キーは、その機器の持つ特徴的な条件を選択したり、特徴的な機能を選択する選択キーであってもよい。たとえば、ＣＤドライブ付きラジオカセットレコーダにおいては、ＣＤドライブ、ラジオおよびカセットレコーダのオン、オフ、音質やリズムの変更を指示するキーであってもよい。
【００２６】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２７】
【図１】ファクシミリ装置の構成を示すブロック図である。
【図２】ファクシミリ装置の操作部を示す図である。
【図３】ファクシミリ装置の表示部の表示例を示す図である。
【図４】ファクシミリ装置の表示部の表示例を示す図である。
【図５】ファクシミリ装置の動作を示すフローチャートである。
【図６】従来のファクシミリ装置における表示部の表示例を示す図である。
【符号の説明】
【００２８】
１０  ファクシミリ装置、１１  制御部、１２  ＤＲＡＭ、１３  ＦＡＸ通信部、１５  印字部、１６  ハードディスク、１７  画像読取り部、１８  操作部、２０  表示部。
【図１】
2006101221.tif 000003
【図２】
2006101221.tif 000004
【図３】
2006101221.tif 000005
【図４】
2006101221.tif 000006
【図５】
2006101221.tif 000007
【図６】
2006101221.tif 000008